(57)【要約】【課題】周囲及び後方へと光線を発することができるＬＥＤランプを提供する。【解決手段】ＬＥＤユニット２０は、本体１０上に設置される。ランプシェード３０は、ＬＥＤユニット２０の外側を覆うよう設置される。反射部品４０は、ランプシェード３０内に直立するよう設置される。反射部品４０の周囲には、ＬＥＤユニット２０の方向へと徐々に縮小して延伸する反射斜面４４が形成されている。反射斜面４４は、ＬＥＤユニット２０が発光作動を開始すると、光線の一部をランプシェード３０の後方へと反射し、これにより、ＬＥＤランプは、射出光を広角に発することができ、照明角度を拡大し、後方の輝度の不足を補うことができる他、均一な発光の効果を達成することができる。【選択図】図５
0003171668.tif 000002
【実用新案登録請求の範囲】
【請求項１】
本体と、
前記本体上に設置されるＬＥＤユニットと、
前記ＬＥＤユニットの外側を覆うよう設置されるランプシェードと、
前記ランプシェード内に直立するよう設置され、前記ＬＥＤユニットの方向へと徐々に縮小して延伸する反射斜面が周囲に形成された反射部品と、
を備えることを特徴とするＬＥＤランプ。
【請求項２】
前記反射部品の一端は、前記ランプシェードの内壁に固定される固定端であり、
前記反射部品の他端は、前記ＬＥＤユニットの方向へと徐々に縮小して延伸する自由端であり、菱形円錐状に形成され、
前記反射斜面は、前記自由端の周囲に形成されていることを特徴とする請求項１に記載のＬＥＤランプ。
【請求項３】
前記固定端は、前記ランプシェードの方向へと徐々に縮小して延伸し、菱形円錐状に形成されていることを特徴とする請求項２に記載のＬＥＤランプ。
【請求項４】
前記ランプシェード上には、穿孔が形成され、
前記反射部品の固定端には、前記穿孔に対応するロック孔が形成され、
前記穿孔を貫通して、前記ロック孔に螺合して固定されることにより、前記反射部品を前記ランプシェードの内壁に固定可能なロック部品をさらに備えることを特徴とする請求項２に記載のＬＥＤランプ。
【請求項５】
前記反射部品は、前記反射斜面上に反射層を有することを特徴とする請求項１に記載のＬＥＤランプ。
【請求項６】
前記本体は、コネクティングヘッドを有し、
前記コネクティングヘッドの一端は、軸方向に延伸するベアリング部を有し、
前記ＬＥＤユニットは、前記ベアリング部上に設置されていることを特徴とする請求項１に記載のＬＥＤランプ。
【請求項７】
前記ベアリング部は、少なくとも２個の金属ケースを相互に嵌め合わせることで構成し、
各前記金属ケースは、間に間隙が形成され、少なくとも１個の連接部品により相互に接続されていることを特徴とする請求項６に記載のＬＥＤランプ。
【請求項８】
前記連接部品上には、複数の放熱孔が形成されていることを特徴とする請求項７に記載のＬＥＤランプ。
【請求項９】
前記間隙内に設置されるパーティションをさらに備えることを特徴とする請求項７に記載のＬＥＤランプ。
【考案の詳細な説明】
【技術分野】
【０００１】
本考案は、ＬＥＤランプに関する。
【背景技術】
【０００２】
ＬＥＤは、作動電圧が低く、使用寿命が長く、水銀汚染がない等の長所を備えるため、種々の照明装置に広く用いられており、電球及び蛍光灯等の伝統的な照明具に取って代わられるようになっている。
従来のＬＥＤ電球の使用状態の模式図である図１に示すように、従来のＬＥＤ電球は、本体１を備え、本体１上には、ＬＥＤユニット２が設置されている。
ＬＥＤユニット２の外側には、ランプシェード３が被せされるようにして設置されている。
これにより、従来のＬＥＤ電球に通電すると、ＬＥＤユニット２は光線を発し、光線はランプシェード３を通過して、照明の効果を達成する。
【０００３】
しかし、図１に示すように、ＬＥＤが発する光線は、直射光であるため、光線発射角度が小さく、光源が集中するという問題がある。
よって、従来のＬＥＤ電球に通電することでＬＥＤユニット２が発する光線は、ランプシェード３の前方へと照射されるだけで、ランプシェード３の周囲及び後方は、比較的暗くなるおそれがあり、均一な発光の効果を達成することができない。
【考案の概要】
【考案が解決しようとする課題】
【０００４】
本考案は、上述の問題に鑑みてなされたものであり、その目的は、周囲及び後方へと光線を発することができるＬＥＤランプを提供することである。
【課題を解決するための手段】
【０００５】
上記課題を解決するため、本考案は下記のＬＥＤランプを提供する。
ＬＥＤランプは、本体、ＬＥＤユニット、ランプシェード、反射部品を備えている。ＬＥＤユニットは、本体上に設置される。ランプシェードは、ＬＥＤユニットの外側を覆うよう設置される。反射部品は、ランプシェード内に直立するよう設置され、ＬＥＤユニットの方向へと徐々に縮小して延伸する反射斜面が周囲に形成されている。
本考案のＬＥＤランプは、ＬＥＤユニットが発光作動を開始すると、光線を反射部品の方向へと前進させる。このとき、反射部品の周囲は反射斜面を形成するため、光線の一部は、該反射斜面により反射され、ランプシェードの周囲及び後方へと射出され出て行く。これにより、ＬＥＤランプは、射出光を広角に発することができる。このように、本考案は、照明角度を拡大し、後方の輝度の不足を補うことができる他、均一発光の効果を達成することができる。
【考案の効果】
【０００６】
本考案のＬＥＤランプは、射出光を広角に発することで周囲及び後方へと光線を発することができ、これにより均一な発光効果を達成することができる。
【図面の簡単な説明】
【０００７】
【図１】従来のＬＥＤ電球の使用状態を示す模式図。
【図２】本考案の第１実施形態によるＬＥＤランプの斜視図。
【図３】本考案の第１実施形態によるＬＥＤランプの分解斜視図。
【図４】本考案の第１実施形態によるＬＥＤランプの断面図。
【図５】本考案の第１実施形態によるＬＥＤランプの使用状態を示す模式図。
【図６】本考案の第２実施形態によるＬＥＤランプの断面図。
【考案を実施するための形態】
【０００８】
以下、図面を参照しながら本考案を実施するための最良の形態について詳細に説明する。
【０００９】
（第１実施形態）
本考案の第１実施形態の斜視図、分解斜視図及び断面図である図２、３、４に示すように、ＬＥＤランプ１００は、本体１０、ＬＥＤユニット２０、ランプシェード３０、反射部品４０を備える。ＬＥＤランプ１００は、使い捨て式ではない。
【００１０】
本体１０は、コネクティングヘッド１１を備え、これによりＥ２７規格或いはＭＲ１６規格等の規格が対応するランプソケット（図示せず）に接続することができる。
本実施形態では、コネクティングヘッド１１は、Ｅ２７規格のコネクティングヘッドである。
コネクティングヘッド１１の一端には、軸方向に沿って外へと延伸するベアリング部１２を備える。
ベアリング部１２は、少なくとも２個の金属ケース１２１を相互に嵌め合わせることで形成される。
各金属ケース１２１は、間に間隙ａが形成され、少なくとも１個の連接部品１２２により相互に接続される。
本実施形態では、ベアリング部１２は、２個の金属ケース１２１を相互に嵌め合わせることで構成し、各金属ケース１２１の間には、連接板を一体成形し、連接部品１２２を形成する。
【００１１】
ＬＥＤユニット２０は、本体１０上に設置する。
本実施形態では、ＬＥＤユニット２０は、ベアリング部１２上に固定して設置する回路板２１を備える。回路板２１上には、複数のＬＥＤ２２を設置する。
ＬＥＤユニット２０はさらに、駆動モジュール２３を備える。
駆動モジュール２３は、本体１０のコネクティングヘッド１１と回路板２１との間に電気的に接続し、これにより各ＬＥＤ２２の発光作動を行う。
【００１２】
ランプシェード３０は、ＬＥＤユニット２０の外側を覆って蓋をするよう設けられる。ランプシェード３０は、ＬＥＤユニット２０に相対する端部に、穿孔３１が形成されている。
【００１３】
反射部品４０は、ランプシェード３０内に直立するよう設置されている。
反射部品４０の一端は、固定端４１と定義される。固定端４１は、ランプシェード３０の方向へと徐々に縮小して延伸し、菱形円錐状に形成されている。
固定端４１の端面には、穿孔３１に対応するロック孔４２が形成され、ボルト等のロック部品５０により、穿孔３１を貫通してロック孔４２に螺合し、固定することができる。
このようにして、反射部品４０は、ランプシェード３０の内壁に固定される。
反射部品４０の他端は、自由端４３を呈し、ＬＥＤユニット２０の方向へと徐々に縮小して延伸し、菱形円錐状に形成されている。
自由端４３の周囲には、反射斜面４４が形成されている。
【００１４】
本考案の第１実施形態の使用状態の模式図である図５に示すように、使用者がＬＥＤランプ１００をオンにすると、ＬＥＤユニット２０上のＬＥＤ２２は、発光を開始し、光線は反射部品４０の方向へと前進する。
ランプシェード３０内には反射部品４０が設置され、反射部品４０の周囲には反射斜面４４が形成されているため、このとき、光線の一部は、反射斜面４４により反射され、ランプシェード３０の周囲及び後方へと射出され出て行く。
このようにして、ＬＥＤランプ１００は、射出光を広角に発することができる。
【００１５】
従来のＬＥＤ電球の最大発光角度は約１８０度であるのに対して、本考案のＬＥＤランプ１００の最大発光角度は２７０度に達することが、実際のテストにより確かめられている。
これにより、ＬＥＤランプ１００は、照明角度を拡大し、後方の輝度の不足を補うことができる他、均一な発光の効果を達成することができる。
【００１６】
また、反射部品４０の固定端４１は、ランプシェード３０の方向へと徐々に縮小して延伸し菱形円錐状に形成されているため、反射部品４０がランプシェード３０上に落とす影を大幅に減らすことができる。
これにより、使用者は、反射部品４０の存在に気づきにくくなる。
【００１７】
さらに、本体１０のベアリング部１２は、少なくとも２個の金属ケース１２１を相互に嵌め合わせることで構成し、各金属ケース１２１は、間に間隙ａが形成され、連接部品１２２により相互に連接されるため、ベアリング部１２と空気との接触面積を大幅に拡大することができる。
これにより、各ＬＥＤ２２が発する熱を効果的に放熱することができ、各ＬＥＤ２２が放熱不良により熱暴走（ｔｈｅｒｍａｌ  ｒｕｎａｗａｙ）を生じることを回避可能である。
【００１８】
本考案の第２実施形態の断面図である図６に示すように、本考案の第２実施形態のＬＥＤランプ１００と、上述した実施形態との差異は、反射部品４０の反射斜面４４上にさらに、クロムメッキ層等の反射層４５を設けた点である。
これにより、反射斜面４４の反射能力を増強することができる。
同時に、本体１０は、各連接部品１２２上に、さらに複数の放熱孔１２３を形成し、間隙ａ内にパーティション１３を設置している。
これにより、ベアリング部１２の放熱能力をさらに拡大できる。そのため、ＬＥＤユニット２０には、より多くのＬＥＤ２２を設置でき、或いはＬＥＤ２２のワット数を増大することができ、発光効果をより高めることができる。
【００１９】
上記の本考案の名称と内容は、本考案の技術内容の説明に用いたのみで、本考案を限定するものではない。本考案の精神に基づく等価的な応用或いは部品（構造）の転換、置換、数量の増減はすべて、本考案の保護範囲に含むものとする。
【産業上の利用可能性】
【００２０】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００２１】
１  ・・・・・本体
２  ・・・・・ＬＥＤユニット
３  ・・・・・ランプシェード
１００  ・・・ＬＥＤランプ
１０  ・・・・本体
１１  ・・・・コネクティングヘッド
１２  ・・・・ベアリング部
１２１  ・・・金属ケース
１２２  ・・・連接部品
１２３  ・・・放熱孔
１３  ・・・・パーティション
２０  ・・・・ＬＥＤユニット
２１  ・・・・回路板
２２  ・・・・ＬＥＤ
２３  ・・・・駆動モジュール
３０  ・・・・ランプシェード
３１  ・・・・穿孔
４０  ・・・・反射部品
４１  ・・・・固定端
４２  ・・・・ロック孔
４３  ・・・・自由端
４４  ・・・・反射斜面
４５  ・・・・反射層
５０  ・・・・ロック部品
ａ  ・・・・・間隙
【図１】
0003171668.tif 000003
【図２】
0003171668.tif 000004
【図３】
0003171668.tif 000005
【図４】
0003171668.tif 000006
【図５】
0003171668.tif 000007
【図６】
0003171668.tif 000008